(57)【要約】【課題】  テストモードを迅速容易に起動させること。【解決手段】  キャビネット１内にディスク装置本体２とメイン基板及びＡＶ基板を形成するプリント配線基板３とが配置され、該プリント配線基板３に、駆動系回路部や映像系回路部及び音声系回路部とそれを制御するためのマイクロコンピュータからなる制御部とが搭載されたディスク装置において、プリント配線基板３に一対のテスト孔６が貫設され、テストモード接続部７のテストモード端子７ａとグランド端子７ｂとが前記一対のテスト孔６の周縁に形成したランドにより形成されており、鰐口クリップ８の先端部を一対のテスト孔６に差し込んでテストモード端子７ａとグランド端子７ｂとを接続する。【選択図】        図１
2011227972.tif 000002
【特許請求の範囲】
【請求項１】
キャビネット内にディスク装置本体とプリント配線基板とが配置され、該プリント配線
基板に、駆動系回路部や映像系回路部及び音声系回路部とそれを制御するためのマイクロ
コンピュータからなる制御部とが搭載されたディスク装置において、前記制御部に接続さ
れたテストモード端子とグランド端子または電源端子とからなるテストモード接続部がプ
リント配線基板に設けられており、前記テストモード端子とグランド端子または電源端子
とを鰐口クリップで接続するように形成されていることを特徴とするディスク装置。
【請求項２】
前記テストモード接続部のテストモード端子とグランド端子または電源端子とがプリン
ト配線基板に貫設した一対のテスト孔の周縁に形成したランドからなることを特徴とする
請求項１に記載のディスク装置。
【請求項３】
前記テストモード接続部のテストモード端子とグランド端子または電源端子とがプリン
ト配線基板の表裏両面に形成したランドからなることを特徴とする請求項１に記載のディ
スク装置。
【請求項４】
キャビネット内にディスク装置本体とプリント配線基板とが配置され、該プリント配線
基板に、駆動系回路部や映像系回路部及び音声系回路部とそれを制御するためのマイクロ
コンピュータからなる制御部とが搭載されたディスク装置において、前記制御部に接続さ
れたテストモード端子とグランド端子または電源端子とからなるテストモード接続部がプ
リント配線基板に設けられており、電源をオン状態とし、所定時間内に前記テストモード
端子とグランド端子または電源端子とを鰐口クリップで接続することにより、テストモー
ドを起動させることを特徴とするディスク装置のテストモード起動方法。
【発明の詳細な説明】
【技術分野】
【０００１】
本発明は、例えばＢｌｕ−ｒａｙ  Ｄｉｓｃ式のレコーダまたはプレーヤなどのディス
ク装置とそのテストモード起動方法に関し、特に、テストモードを迅速容易に起動させる
ことができるようにしたものである。
【背景技術】
【０００２】
従来、例えばＢｌｕ−ｒａｙ  Ｄｉｓｃ式のレコーダまたはプレーヤなどのディスク装
置には、製造工程で、所定の動作をテストするためのテストモードが備えられている。
【０００３】
そのテストモードを起動させる手順の一例として、電源をオン状態とし、所定時間（例
えば１０秒）の経過前に、リモコンまたは押下スイッチを所定手順に従って操作すること
により、テストモードを起動させるものがある。なお、関連する技術として特許文献１に
記載したものがある。
【先行技術文献】
【特許文献】
【０００４】
【特許文献１】特開平６−１３９６４８号公報
【発明の概要】
【発明が解決しようとする課題】
【０００５】
上記従来の構成では、リモコンまたは押下スイッチを所定手順に従って操作するのに手
間と時間とがかかって面倒であり、特に、製造工程で、大量のディスク装置をテストする
ことから、作業能率の向上を阻害する要因の一つになっている。
【０００６】
本発明は、上記従来の欠点に鑑み、テストモードを迅速容易に起動させることができる
ディスク装置とそのテストモード起動方法を提供することを目的としている。
【課題を解決するための手段】
【０００７】
上記目的を達成するため、請求項１に記載の発明は、キャビネット内にディスク装置本
体とプリント配線基板とが配置され、該プリント配線基板に、駆動系回路部や映像系回路
部及び音声系回路部とそれを制御するためのマイクロコンピュータからなる制御部とが搭
載されたディスク装置において、前記制御部に接続されたテストモード端子とグランド端
子または電源端子とからなるテストモード接続部がプリント配線基板に設けられており、
前記テストモード端子とグランド端子または電源端子とを鰐口クリップで接続するように
形成されていることを特徴としている。
【０００８】
請求項２に記載の発明は、請求項１に記載の発明において、前記テストモード接続部の
テストモード端子とグランド端子または電源端子とがプリント配線基板に貫設した一対の
テスト孔の周縁に形成したランドからなることを特徴としている。
【０００９】
請求項３に記載の発明は、請求項１に記載の発明において、前記テストモード接続部の
テストモード端子とグランド端子または電源端子とがプリント配線基板の表裏両面に形成
したランドからなることを特徴としている。
【００１０】
請求項４に記載の発明は、テストモード起動方法であって、キャビネット内にディスク
装置本体とプリント配線基板とが配置され、該プリント配線基板に、駆動系回路部や映像
系回路部及び音声系回路部とそれを制御するためのマイクロコンピュータからなる制御部
とが搭載されたディスク装置において、前記制御部に接続されたテストモード端子とグラ
ンド端子または電源端子とからなるテストモード接続部がプリント配線基板に設けられて
おり、電源をオン状態とし、所定時間内に前記テストモード端子とグランド端子または電
源端子とを鰐口クリップで接続することにより、テストモードを起動させることを特徴と
している。
【発明の効果】
【００１１】
請求項１に記載の発明によれば、鰐口クリップでテストモード端子とグランド端子また
は電源端子とを接続することにより、テストモード信号が制御部に入力され、その入力信
号に基づいてテストモードが直ちに起動されるから、製造工程で、大量のディスク装置を
テストする際に、作業能率を格段に向上させることができる。
【００１２】
請求項２に記載の発明によれば、一対のテスト孔に鰐口クリップの先端部を差し込んで
、該両テスト孔間の仕切り部分を挟み付けるだけで、その鰐口クリップによりテストモー
ド端子とグランド端子または電源端子とが接続され、確実にテストモードを起動させるこ
とができる。
【００１３】
請求項３に記載の発明によれば、プリント配線基板の表裏両面に形成したランドを鰐口
クリップで挟み付けるだけで、そのランドからなるテストモード端子とグランド端子また
は電源端子とが接続され、確実にテストモードを起動させることができる。
【００１４】
請求項４に記載の発明によれば、電源をオン状態にした後、所定時間内に鰐口クリップ
でテストモード端子とグランド端子または電源端子とを接続するだけで、テストモードを
直ちに起動させることができ、製造工程で、大量のディスク装置をテストする際に、作業
能率を格段に向上させることができる。
【図面の簡単な説明】
【００１５】
【図１】本発明の実施の一形態であるディスク装置とそのテストモード起動方法を示す斜視図である。
【図２】（ａ）は同要部の縦断面図、（ｂ）は同要部の水平断面図である。
【図３】同制御部の制御状態を示すブロック図である。
【図４】同制御部によるテストモード起動方法を説明する流れ図である。
【図５】（ａ）は本発明の実施の他の形態であるディスク装置とそのテストモード起動方法を示す要部の縦断面図、（ｂ）は同要部の平面図である。
【発明を実施するための形態】
【００１６】
図１〜図４は本発明の実施の一形態であるディスク装置（例えばスロットイン型のＢｌ
ｕ−ｒａｙ  Ｄｉｓｃ式のレコーダまたはプレーヤ）とそのテストモード起動方法を示す
ものであって、フロントパネル１ａ、ボトムシャーシ１ｂ及びトップシャーシ１ｃからな
るキャビネット１内に、ディスク装置本体２と、メイン基板及びＡＶ基板を形成するプリ
ント配線基板３とが配置され、該プリント配線基板３には、後述するように、駆動系回路
部１１や映像系回路部１２及び音声系回路部１３とそれを制御するためのマイクロコンピ
ュータからなる制御部１０とが搭載されている（図３参照）。
【００１７】
上記構成において、ディスクＤをフロントパネル１ａの挿入口５からディスク装置本体
２内に挿入することにより、通常モード（図４参照）が起動され、ターンテーブルや光ピ
ックアップなどを駆動系回路部１１により駆動し、ディスクＤを高速回転させて、該ディ
スクＤに記録されている情報を映像系回路部１２及び音声系回路部１３で読み取って再生
や録画を行なう。
【００１８】
図１、図２（ａ）及び（ｂ）に示すように、プリント配線基板３に一対のテスト孔６が
形成され、テストモード接続部７のテストモード端子７ａとグランド端子７ｂとが該各テ
スト孔６の周縁のランドにより形成され、そのテストモード端子７ａとグランド端子７ｂ
とを接続するための鰐口クリップ８を有している。
【００１９】
図１及び図２に示すように、製造工程において、トップシャーシ１ｃを取り除いた状態
で、鰐口クリップ８の根元部を指部で把持して該鰐口クリップ８の広げた先端部を各テス
ト孔６に差し込み、両テスト孔６間の仕切り部分６ａを挟み付けることにより、その鰐口
クリップ８でテストモード端子７ａとグランド端子７ｂとを接続し、テストモードを起動
させる。
【００２０】
図３はディスク装置本体２を制御するマイクロコンピュータからなる制御部１０の制御
状態を示すものであって、ターンテーブルや光ピックアップなどの駆動系を駆動するため
の駆動系回路部１１、再生や録画のための映像系回路部１２及び音声系回路部１３、テス
トモードなどを記憶するメモリー１４、電源１５及びテストモード接続部７などが接続さ
れている。
【００２１】
図４の流れ図に基づいて制御部１０によるテストモード起動方法を説明すると、ステッ
プＳ１において、電源をオン状態にすると、ステップＳ２に移行し、所定時間（例えば５
〜１０秒）内に鰐口クリップ８によりテストモード端子７ａとグランド端子７ｂとが接続
され、テストモード接続部７からテストモード信号Ｌが制御部１０に入力されると、ステ
ップＳ３に移行し、テストモードを起動し、所定の動作をテストする。
【００２２】
ステップＳ２で、所定時間（例えば５〜１０秒）内に鰐口クリップ８による接続操作が
行われない場合には、ステップＳ４に移行し、通常モードを起動する。
【００２３】
上記構成によれば、電源１５をオン状態にした後、所定時間（例えば５〜１０秒）内に
鰐口クリップ８でテストモード端子７ａとグランド端子７ｂとを接続するだけで、テスト
モードを直ちに起動させることができ、製造工程で、大量のディスク装置をテストする際
に、作業能率を格段に向上させることができる。
【００２４】
特に、一対のテスト孔６に鰐口クリップ８の先端部を差し込んで、該両テスト孔６間の
仕切り部分６ａを挟み付けるだけで、その鰐口クリップ８によりテストモード端子７ａと
グランド端子７ｂとが接続され、確実にテストモードを起動させることができる。
【００２５】
図５（ａ）及び（ｂ）は本発明の実施の他の形態であるディスク装置（例えばスロット
イン型のＢｌｕ−ｒａｙ  Ｄｉｓｃ式のレコーダまたはプレーヤ）とそのテストモード起
動方法の要部を示すものであって、プリント配線基板３の端縁の表裏両面に形成したラン
ドによりテストモード端子７ａとグランド端子７ｂとが形成されている（図１仮想線参照
）。上記以外の構成は図１〜図４に示す構成とほぼ同じであるから、同一部分に同一符号
を付してその説明を省略する。
【００２６】
上記構成において、鰐口クリップ８の根元部を指部で把持して該鰐口クリップ８の広げ
た先端部でプリント配線基板３の端縁の表裏両面のランドを挟み付けることにより、テス
トモード端子７ａとグランド端子７ｂとを接続し、テストモードを起動させる。
【００２７】
上記構成によれば、図１〜図４に示す構成と同じ効果を得ることができ、特に、プリン
ト配線基板３の端縁を鰐口クリップ８で挟み付けるだけで、テストモード端子７ａとグラ
ンド端子７ｂとが接続され、確実にテストモードを起動させることができる。
【００２８】
上記の実施の形態では、鰐口クリップ８でテストモード端子７ａをグランド端子７ｂに
接続するようにしたが、これに限定されるわけではなく、グランド端子７ｂに代えて電源
１５につながる電源端子を用いてもよく、この場合、鰐口クリップ８でテストモード端子
７ａを電源端子に接続することにより、テストモード接続部７からテストモード信号Ｈを
制御部１０に入力させ、テストモードを起動させる。
【符号の説明】
【００２９】
１        キャビネット
２        ディスク装置本体
３        プリント配線基板
６        テスト孔
７        テストモード接続部
７ａ      テストモード端子
７ｂ      グランド端子
８        鰐口クリップ
１０      制御部
１１      駆動系回路部
１２      映像系回路部
１３      音声系回路部
【図１】
2011227972.tif 000003
【図２】
2011227972.tif 000004
【図３】
2011227972.tif 000005
【図４】
2011227972.tif 000006
【図５】
2011227972.tif 000007